(57)【要約】【課題】  多数個の発光ダイオードを備えて透過型液晶パネルの高輝度化を図るとともに、色むらや横筋の発生を防止した液晶表示用バックライト装置及び透過型液晶表示装置を提供する。【解決手段】    光源から発せられた光を側面から放射させる光学部品１５０が設けられた側面放射発光ダイオード１２１Ｒ，１２１Ｇ，１２１Ｂを複数配列してなり、上記側面放射発光ダイオード１２１Ｒ，１２１Ｇ，１２１Ｂに設けられた上記光学部品１５０の正面の少なくとも中央部分を覆う遮光部１５１が形成されている液晶表示用バックライト装置１４０により、透過型液晶表示装置１００のカラー液晶表示パネル１１０を背面側から照明する。【選択図】        図２
2006058483.tif 000002
【特許請求の範囲】
【請求項１】
透過型のカラー液晶表示パネルを背面側から照明する液晶表示用バックライト装置であって、
光源から発せられた光を側面から放射させる光学部品が設けられた側面放射発光ダイオードを複数配列してなり、
上記側面放射発光ダイオードに設けられた上記光学部品の正面の少なくとも中央部分を覆う遮光部が形成されていることを特徴とする液晶表示用バックライト装置。
【請求項２】
光源から発せられた光を側面から放射させる光学部品が設けられた側面放射発光ダイオードを複数配列してなり、上記側面放射発光ダイオードに設けられた上記光学部品の正面の少なくとも中央部分を覆う遮光部が形成されている液晶表示用バックライト装置と、
この液晶表示用バックライト装置により背面側から照明される透過型のカラー液晶表示パネルと
を備えることを特徴とする透過型液晶表示装置。
【発明の詳細な説明】
【技術分野】
【０００１】
本発明は、多数個の発光ダイオードから出射した表示光を例えば透過型カラー液晶表示装置（LCD:Liquid Crystal Display）等の透過型のカラー液晶表示パネルを背面側から照明する液晶表示用バックライト装置及びこの液晶表示用バックライト装置を備える透過型カラー液晶表示装置に関する。
【背景技術】
【０００２】
液晶表示装置は、陰極線管（CRT:Cathode-Ray Tube）と比較して大型表示画面化、軽量化、薄型化、低電力消費化等が図られることから、例えば自発光型のＰＤＰ（Plasma Display Panel）等とともにテレビジョン受像機や各種のディスプレィ用に用いられるようになっている。液晶表示装置は、各種サイズの２枚の透明基板の間に液晶を封入し、電圧を印加することにより液晶分子の向きを変えて光透過率を変化させて所定の画像等を光学的に表示する。
【０００３】
液晶表示装置は、液晶自体が発光体ではないために、例えば液晶パネルの背面部に光源として機能するバックライトユニットが備えられる。バックライトユニットは、例えば一次光源、導光板、反射フィルム、レンズシート或いは拡散フィルム等を備え、液晶パネルに対して全面に亘って表示光を供給する。バックライトユニットには、従来一次光源として水銀やキセノンを蛍光管内に封入した冷陰極蛍光ランプ（CCLF:Cold Cathode Fluorescent Lamp）が用いられているが、冷陰極蛍光ランプが有する発光輝度が低い、寿命が短い或いは陰極側に低輝度領域が存在して均斉度等が悪い等の問題を解決しなければならない。
【０００４】
大型サイズの液晶表示装置においては、一般に拡散板の背面に複数本の長尺な冷陰極蛍光ランプを配置して表示光を液晶パネルに供給するエリアライト型バックライト（ Area Litconfiguration Backlight）装置が備えられている。かかるエリアライト型バックライト装置においても、上述した冷陰極蛍光ランプに起因する問題を解決しなければならず、特に４０インチを超えるような大型テレビジョン受像機においては、高輝度化や高均斉度化の問題がより顕著となっている。
【０００５】
エリアライト型バックライト装置においては、上述した冷陰極蛍光ランプに代えて、拡散フィルムの背面側に多数個の光三原色の赤色と緑色と青色の発光ダイオード（以下、ＬＥＤと称する。LED:Light Emitting Diode ）を２次元に配列して白色光を得るＬＥＤエリアライト型のバックライトが注目されている。かかるＬＥＤバックライト装置は、ＬＥＤの低コスト化に伴ってコスト低減が図られるとともに低消費電力で大型の液晶パネルに高輝度の表示が行われるようにする。
【０００６】
各種バックライト装置においては、光源ユニットと透過型液晶パネルとの間に、光源から出射された表示光の機能変換を行うとともに均一化する光学機能シートブロックや拡散導光プレート及び光拡散プレートや反射シート等の種々の光学部材が配置される。バックライト装置においては、光拡散プレートが、一般に透明なアクリル樹脂等によって成形され、光源と対向する部位に入射される表示光の一部を透過させるとともに一部を反射させる機能を有する調光パターンが形成されている。蛍光管と対向する領域に形成される複数の帯状調光パターンが、それぞれ多数個の反射ドットによって構成された光拡散プレートを備えている。光拡散プレートは、反射ドットを蛍光管の軸線から遠ざかるにしたがって面積が小さくなるように形成することにより、蛍光管から遠ざかるにしたがって光透過率が高くなって全体として均一化した光が放出されるように作用する（例えば、特許文献１参照）。
【０００７】
また、バックライト装置に使用されるＬＥＤとして、光源から発せられた光を側面から放射させる光学部品が設けられた側面放射発光ダイオード、すなわち、出射光の主成分を発光バルブの外周方向に出射する指向性を有するいわゆるサイドエミッション型のＬＥＤが知られている（例えば、特許文献２、特許文献３参照）。
【０００８】
【特許文献１】特開平６−３０１０３４号公報
【特許文献２】特開２００３−８０６８号公報
【特許文献３】特開２００４−１３３３９１号公報
【発明の開示】
【発明が解決しようとする課題】
【０００９】
ＬＥＤバックライト装置においても、透過型液晶パネルと多数個のＬＥＤを実装した光源ブロックをアレィ配列してなる光源ユニットとの間に光拡散プレートを配置し、例えばこの光拡散プレートに各ＬＥＤとそれぞれ対向するようにして多数個の調光パターンを形成する対応も考慮される。各調光パターンは、相対するＬＥＤからの出射される表示光について、光拡散プレートにおける透過・反射動作を制御することによって光拡散プレートの全面から均一な光量で表示光が液晶パネルに供給されるようにして高輝度化や高均斉度化が図られるようになる。
【００１０】
ここで、光源から発せられた光を側面から放射させる光学部品が設けられた側面放射発光ダイオードを使用したとしても、漏れ光としてＬＥＤ正面に出てくる光がある。この漏れ光は強度が弱いが対面する光学シートまでの距離が横方向に発せられた光に比べ極端に短いことから、色むらの影響が避けられない。これを避けるために現行のバックライト構造ではＬＥＤ直上に透過率を調整したドットパターンを配置した拡散導光プレートを採用する必要がある。
【００１１】
しかしながら、ＬＥＤバックライト装置においては、多数個のＬＥＤから発生する大容量の熱がアクリル樹脂で成形した光拡散プレートに作用することによって、この光拡散プレートに大きな寸法変化を生じさせて相対するＬＥＤと調光パターンとに位置ズレが発生することがある。また、ＬＥＤバックライト装置においては、液晶パネルや光源ユニット或いは光拡散プレートの寸法精度や組立精度さらに調光パターンの印刷精度等のバラツキによって、相対するＬＥＤと調光パターンとの位置ズレが発生することがある。
【００１２】
ＬＥＤバックライト装置においては、上述した様々な要因が関わることからＬＥＤと調光パターンとを精密に位置決めすることが極めて困難であった。ＬＥＤバックライト装置においては、構成部材を高精度に製作するとともに、精密な組立を行わなければならず、コスト低減が困難であった。ＬＥＤバックライト装置においては、液晶表示装置の大型化や高輝度化に伴い、ＬＥＤと調光パターンとの位置ズレもより大きくなり、液晶パネルに色むらやランプイメージの発生等の問題が顕著となる。
【００１３】
また、ＬＥＤバックライト装置においては、光源ユニットが多数個のＬＥＤを実装した複数の光源ブロックを互いに所定の間隔を以って配列することによりエリアライト型に構成することから、各ＬＥＤから周囲に放射された表示光が各光源ブロックの列間において両側から集中して輝度の大きな部位が発生する現象が生じる。ＬＥＤバックライト装置においては、このために光拡散プレートの各光源ブロックの各列間に対向した領域に横筋状態で高輝度領域が生じ、液晶パネルに横筋の色むらが生じるといった問題があった。
【００１４】
ＬＥＤバックライト装置においては、上述した問題に対して、例えば光拡散プレートに大きな面積で調光パターンを形成したり乳白色の合成樹脂で成形したりする対応も図られるが、表示光が遮光されて光透過率が大幅に低減することから液晶パネルの輝度が低下する。ＬＥＤバックライト装置においては、例えばより多くのＬＥＤを用いることによって高輝度化の対応を図る場合に、コストの増大や消費電力が大きくなってしまうばかりでなくより大きな発熱の対応が極めて困難となる。
【００１５】
そこで、本発明の目的は、多数個の発光ダイオードを備えて透過型液晶パネルの高輝度化を図るとともに、色むらや横筋の発生を防止した液晶表示用バックライト装置及び透過型液晶表示装置を提供することにある。
【００１６】
本発明の更に他の目的、本発明によって得られる具体的な利点は、以下に説明される実施の形態の説明から一層明らかにされる。
【課題を解決するための手段】
【００１７】
本発明は、透過型のカラー液晶表示パネルを背面側から照明する液晶表示用バックライト装置であって、光源から発せられた光を側面から放射させる光学部品が設けられた側面放射発光ダイオードを複数配列してなり、上記側面放射発光ダイオードに設けられた上記光学部品の正面の少なくとも中央部分を覆う遮光部が形成されていることを特徴とする。
【００１８】
また、本発明に係る透過型液晶表示装置は、光源から発せられた光を側面から放射させる光学部品が設けられた側面放射発光ダイオードを複数配列してなり、上記側面放射発光ダイオードに設けられた上記光学部品の正面の少なくとも中央部分を覆う遮光部が形成されている液晶表示用バックライト装置と、この液晶表示用バックライト装置により背面側から照明される透過型のカラー液晶表示パネルとを備えることを特徴とする。
【発明の効果】
【００１９】
本発明によれば、光源から発せられた光を側面から放射させる光学部品が設けられた側面放射発光ダイオードを複数配列することにより、透過型液晶パネルの高輝度化を図るとともに、上記側面放射発光ダイオードに設けられた光学部品の正面の少なくとも中央部分を覆う遮光部を形成することによって、上記側面放射発光ダイオードの正面方向の漏れ光を上記遮光部で遮光することができ、色むらや横筋の発生の低減を図ることができる。
【００２０】
また、本発明では、側面放射発光ダイオードに設けられた光学部品の正面の少なくとも中央部分を覆う遮光部を形成しているので、光拡散プレートに調光パターンを設ける必要が無く、多数個の発光ダイオードから発生する熱の影響による構成各部材の寸法変化や構成各部材の寸法精度或いは組立精度さらに調光パターンの印刷精度等のバラツキの影響を被ることが無く、構成各部材の製造コストや組立コストの低減が図られるようになる。
【発明を実施するための最良の形態】
【００２１】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２２】
本発明は、例えば図１に示すような構成の透過型カラー液晶表示装置１００に適用される。
【００２３】
この透過型カラー液晶表示装置１００は、透過型のカラー液晶表示パネル１１０と、この液晶表示パネル１１０の背面側に設けられた液晶表示用バックライト装置１４０とからなる。また、図示しないが、この透過型カラー液晶表示装置１００は、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
【００２４】
透過型のカラー液晶表示パネル１１０は、ガラス等で構成された２枚の透明な基板（ＴＦＴ基板１１１、対向電極基板１１２）を互いに対向配置させ、その間隙に、例えば、ツイステッドネマチック（ＴＮ）液晶を封入した液晶層１１３を設けた構成となっている。ＴＦＴ基板１１１には、マトリクス状に配置された信号線１１４と、走査線１１５と、この信号線１１４、走査線１１５の交点に配置されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８及びカラーフィルタ１１９が形成されている。
【００２５】
透過型カラー液晶表示装置１００は、このような構成の透過型のカラー液晶表示パネル１１０を２枚の偏光板１３１，１３２で挟み、液晶表示用バックライト装置１４０により背面側から白色光を照射した状態で、アクティブマトリクス方式で駆動することによって、所望のフルカラー映像を表示させることができる。
【００２６】
液晶表示用バックライト装置１４０は、上記カラー液晶表示パネル１１０を背面側から照明する。図１に示すように、液晶表示用バックライト装置１４０は、ここでは図示していない光源や、光源から出射された光を白色光へと混色する機能などが組み込まれたバックライト筐体部１２０内に、拡散板１４１や、拡散板１４１上に重ねて配置される拡散シート１４２、プリズムシート１４３、偏光変換シート１４４といった光学シート群１４５などを備えた構成となっている。拡散板１４１は、光源から出射された光を、内部拡散させることで、面発光における輝度の均一化を行う。また、光学シート群１４５は、拡散板１４１から出射された白色光を、拡散板１４１の法線方向に立ち上げることで、面発光における輝度を上昇させる働きをする。
【００２７】
図２にバックライト筐体部１２０内の概略構成図を示す。この図２に示すように、バックライト筐体部１２０は、赤色（Ｒ）光を発光する赤色（Ｒ）発光ダイオード１２１Ｒ、緑色光を発光する緑色（Ｇ）発光ダイオード１２１Ｇ、青色光を発光する青色（Ｂ）発光ダイオード１２１Ｂを光源として用いている。なお、以下の説明において、赤色発光ダイオード１２１Ｒ、緑色発光ダイオード１２１Ｇ、青色発光ダイオード１２１Ｂを総称する場合は、単に発光ダイオード１２１と呼ぶ。
【００２８】
図２に示すように各発光ダイオード１２１は、基板１２２上に、所望の順番で一列に配列され、発光ダイオードユニット１２１ｎ（ｎは、自然数。）を形成する。基板１２２上に各発光ダイオード１２１を配列する順番は、例えば、図２に示すように、緑色発光ダイオード１２１Ｇ、赤色発光ダイオード１２１Ｒ、緑色発光ダイオード１２１Ｇ、青色発光ダイオード１２１Ｂという順番で配置させた４個の発光ダイオード１２１を繰り返し単位とするような配列である。
【００２９】
発光ダイオードユニット１２１ｎは、液晶表示用バックライト装置１４０が照明する液晶表示パネル１１０のサイズに応じて、バックライト筐体部１２０内に、複数列、配置されることになる。バックライト筐体部１２０内への発光ダイオードユニット１２１ｎの配置の仕方は、図２に示すように、発光ダイオードユニット１２１ｎの長手方向が、水平方向となるように配置してもよいし、図示しないが、発光ダイオードユニット１２１ｎの長手方向が垂直方向となるように配置してもよいし、両者を組み合わせても良い。
【００３０】
なお、発光ダイオードユニット１２１ｎの長手方向を、水平方向或いは垂直方向とするように配置する手法は、バックライト装置の光源として利用されることの多かった蛍光管の配置の仕方と同じになるため、蓄積された設計ノウハウを利用することができ、コストの削減や、製造までに要する時間を短縮することができる。
【００３１】
バックライト筐体部１２０内に発光ダイオードユニット１２１ｎとして配された赤色（Ｒ）発光ダイオード１２１Ｒ、緑色（Ｇ）発光ダイオード１２１Ｇ、青色（Ｂ）発光ダイオード１２１Ｂから発光された光は、当該バックライト筐体部１２０内で混色されて白色光とされる。このとき、各発光ダイオード１２１から出射した赤色（Ｒ）光、緑色（Ｇ）光、青色（Ｂ）光が、バックライト筐体部１２０内にて一様に混色されるように、各発光ダイオード１２１には、レンズやプリズム、反射鏡などを配置させて、広指向性の出射光が得られるようにする。
【００３２】
なお、各発光ダイオード１２１は、詳細を省略するがそれぞれ発光バルブを樹脂ホルダによって保持するとともに、樹脂ホルダから一対の端子が突出されてなる。各発光ダイオード１２１には、光源から発せられた光を側面から放射させる光学部品１５０が設けられた側面放射発光ダイオード、すなわち、出射光の主成分を発光バルブの外周方向に出射する指向性を有するいわゆるサイドエミッション型のＬＥＤが用いられている。
【００３３】
そして、上記発光ダイオード１２１に設けられた上記光学部品１５０には、図３に示すように、その正面の少なくとも中央部分を覆う遮光部１５１が形成されている。この遮光部１５１は、上記光学部品１５０の正面の円錐状反射面の少なくとも中央部分を覆う領域に、半透過塗料を塗布したり、光学反射膜を成膜することにより形成されており、上記発光ダイオード１２１の正面方向への漏れ光を遮光する。
【００３４】
なお、上記遮光部１５１は、最大の状態では上記円錐状反射面の全体を覆うように形成されるが、少なくとも中央部分を覆うように形成されていてば正面方向への漏れ光を遮光することができる。
【００３５】
また、図４に示すように、バックライト筐体部１２０内には、各発光ダイオード１２１から出射された赤色（Ｒ）光、緑色（Ｇ）光、青色（Ｂ）光を混色させるための拡散導光板１２５が、光源である発光ダイオードユニット１２１ｎを覆うようにして設けられている。
【００３６】
拡散導光板１２５は、発光ダイオード１２１から出射された光、後述する反射シート１２６で反射された光を拡散させる。
【００３７】
図１に示す拡散板１４１は、所定の板厚（例えば、２ｍｍ程度）の乳白色の光を拡散させる板であって、拡散導光板１２５で混色された光を拡散し、均一な輝度の白色光として光学シート群１４５に出射する。光学シート群１４５は、この白色光を拡散板１４１の法線方向に立ち上げ、輝度を上昇させる。
【００３８】
図４に、液晶表示装置１００を組み上げた際に、図１に示す液晶表示装置１００に付したＸＸ線で切断した際の断面図を一部示す。図４に示すように、液晶表示装置１００を構成する液晶表示パネル１１０は、液晶表示装置１００の外部筐体となる外部フレーム１０１と、内部フレーム１０２とによって、スペーサ１０３ａ，１０３ｂを介して挟み込むように保持される。また、外部フレーム１０１と、内部フレーム１０２との間には、ガイド部材１０４が設けられており、外部フレーム１０１と、内部フレーム１０２によって挟まれた液晶表示パネル１１０が長手方向へずれてしまうことを抑制している。
【００３９】
一方、液晶表示装置１００を構成する液晶表示用バックライト装置１４０は、上述したように光学シート群１４５が積層された導光板１４１と、拡散導光板１２５とを備えている。また、拡散導光板１２５と、バックライト筐体部１２０との間には、反射シート１２６が配されている。反射シート１２６は、その反射面が、拡散導光板１２５の光入射面１２５ａと対向するように、且つ発光ダイオード１２１の発光方向よりもバックライト筐体部１２０側となるように配されている。
【００４０】
反射シート１２６は、例えば、シート基材上に銀反射膜、低屈折率膜、高屈折率膜を順に積層することで形成された銀増反射膜などである。この反射シート１２６は、主に発光ダイオード１２５から発光され、拡散導光板１２５で反射されて入射した光を反射する。
【００４１】
液晶表示用バックライト装置１４０が備える拡散板１４１、拡散導光板１２５、反射シート１２６は、図４に示すように、それぞれが互いに対向するように配置されており、バックライト筐体部１２０に複数設けられた光学スタット１０５によって、互いの対向間隔を保ちながら当該液晶表示用バックライト装置１４０のバックライト筐体部１２０内に保持されている。このとき、拡散板１４１は、バックライト筐体部１２０に設けられたブラケット部材１０８でも保持されることになる。
【００４２】
このような構成のカラー液晶表示装置１００における液晶表示用バックライト装置１４０では、図３に示すように光源すなわちＬＥＤチップ１２１ａから発せられた光を側面から放射させる光学部品１５０が設けられた側面放射発光ダイオード１２１を複数配列することにより、透過型液晶パネル１１０の高輝度化を図るとともに、上記側面放射発光ダイオード１２１に設けられた光学部品１５０の正面の少なくとも中央部分を覆う遮光部１５１が形成されていることによって、上記側面放射発光ダイオード１２１の正面方向の漏れ光を上記遮光部１５１で遮光することができ、色むらや横筋の発生の低減を図ることができる。
【００４３】
また、この液晶表示用バックライト装置１４０では、側面放射発光ダイオード１２１に設けられた光学部品１５０の正面の少なくとも中央部分を覆う遮光部１５１が形成されているので、拡散導光板１２５に調光パターンを設ける必要が無く、多数個の発光ダイオード１２１から発生する熱の影響による構成各部材の寸法変化や構成各部材の寸法精度或いは組立精度さらに調光パターンの印刷精度等のバラツキの影響を被ることが無く、構成各部材の製造コストや組立コストの低減が図られるようになる。
【００４４】
さらに、この液晶表示用バックライト装置１４０では、上述の如く拡散導光板１２５に調光パターンを設ける必要が無いので、上記拡散導光板１２５を省略した構成とすることも可能である。
【００４５】
このカラー液晶表示装置１００は、例えば、図５に示すような駆動回路２００により駆動される。駆動回路２００は、液晶表示パネル１１０や、液晶表示用バックライト装置１４０の駆動電源を供給する電源部２１０、液晶表示パネル１１０を駆動するＸドライバ回路２２０及びＹドライバ回路２３０、外部から供給される映像信号や、当該カラー液晶表示装置１００が備える図示しない受信部で受信され、映像信号処理部で処理された映像信号が、入力端子２４０を介して供給されるＲＧＢプロセス処理部２５０、このＲＧＢプロセス処理部２５０に接続された画像メモリ２６０及び制御部２７０、液晶表示用バックライト装置１４０を駆動制御するバックライト駆動制御部２８０などを備えている。
【００４６】
この駆動回路２００において、入力端子２４０を介して入力された映像信号は、ＲＧＢプロセス処理部２５０により、クロマ処理などの信号処理がなされ、さらに、コンポジット信号から液晶表示パネル１１０の駆動に適したＲＧＢセパレート信号に変換されて、制御部２７０に供給されるとともに、画像メモリ２６０を介してＸドライバ２２０に供給される。
【００４７】
また、制御部２７０は、上記ＲＧＢセパレート信号に応じた所定のタイミングで、Ｘドライバ回路２２０及びＹドライバ回路２３０を制御して、上記画像メモリ２６０を介してＸドライバ回路２２０に供給されるＲＧＢセパレート信号で、液晶表示パネル１１０を駆動することにより、上記ＲＧＢセパレート信号に応じた映像を表示する。
【００４８】
バックライト駆動制御部２８０は、電源２１０から供給される電圧から、パルス幅変調（ＰＷＭ）信号を生成し、液晶表示用バックライト装置１４０の光源である各発光ダイオード１２１を駆動する。一般に発光ダイオードの色温度は、動作電流に依存するという特性がある。したがって、所望の輝度を得ながら、忠実に色再現させる（色温度を一定とする）には、パルス幅変調信号を使って発光ダイオード１２１を駆動し、色の変化を抑える必要がある。
【００４９】
ユーザインターフェース３００は、上述した図示しない受信部で受信するチャンネルを選択したり、同じく図示しない音声出力部で出力させる音声出力量を調整したり、液晶表示パネル１１０を照明する液晶表示用バックライト装置１４０からの白色光の輝度調節、ホワイトバランス調節などを実行するためのインターフェースである。
【００５０】
例えば、ユーザインターフェース３００から、ユーザが輝度調節をした場合には、駆動回路２００の制御部２７０を介してバックライト駆動制御部２８０に輝度制御信号が伝わる。バックライト駆動制御部２８０は、この輝度制御信号に応じて、パルス幅変調信号のデューティ比を、赤色発光ダイオード１２１Ｒ、緑色発光ダイオード１２１Ｇ、青色発光ダイオード１２１Ｂ毎に変えて、赤色発光ダイオード１２１Ｒ、緑色発光ダイオード１２１Ｇ、青色発光ダイオード１２１Ｂを駆動制御することになる。
【図面の簡単な説明】
【００５１】
【図１】本発明を適用したカラー液晶表示装置の要部構成を模式的に示す分解斜視図である。
【図２】上記カラー液晶表示装置に備えられた液晶表示用バックライト装置の概略構成を示す模式的な斜視図である。
【図３】上記液晶表示用バックライト装置を構成する発光ダイオードとして用いられる光源から発せられた光を側面から放射させる光学部品が設けられた側面放射発光ダイオードの要部構造を示す模式的な断面図である。
【図４】図１に示すＸＸ線で切断した上記カラー液晶表示装置の断面図である。
【図５】上記カラー液晶表示装置を駆動する駆動回路の構成を示すブロック図である。
【符号の説明】
【００５２】
１００  カラー液晶表示装置、１１０  カラー液晶表示パネル、１２１，１２１Ｒ，１２１Ｇ，１２１Ｂ  側面放射発光ダイオード、１２１ａ  ＬＥＤチップ、１２１ｎ（ｎは自然数）  発光ダイオードユニット、１２５  拡散導光板、１２６  反射シート、１５０  光学部品、１５１  遮光部、１４０  液晶表示用バックライト装置
【図１】
2006058483.tif 000003
【図２】
2006058483.tif 000004
【図３】
2006058483.tif 000005
【図４】
2006058483.tif 000006
【図５】
2006058483.tif 000007